(57)【特許請求の範囲】
【請求項１】
建物の外壁内に設けられて室内側と室外側を連通するダクト内に嵌挿される本体筒部と、前記本体筒部の室外側端面に支持部材を介して前記室外側に設けられる遮蔽部を備え、前記本体筒部の前記室外側端面と前記遮蔽部との空間でなる通風路を有し、前記通風路の一部に前記通風路の一部の通風を遮るカバー部を設け、前記遮蔽部は前記遮蔽部の外周縁から前記遮蔽部の中心とは異なる部分に向かうにしたがって前記室内側に厚みが増加し、その厚みの頂点を有した突形状部を設けるものであって、前記突形状部の頂点の位置を前記本体筒部の室外側開口部の最上部点よりも前記カバー側に設けることを特徴とした換気用ベントキャップ。
【発明の詳細な説明】
【技術分野】
【０００１】
本発明は、住宅等の室内空気を室外に換気するときに、建物の外壁部分に設置される換気用ベントキャップに関するものである。
【背景技術】
【０００２】
従来、この種の換気用ベントキャップとして室内側に風雨の吹き込みを防止する遮蔽板を設けた換気用ベントキャップが知られている（例えば、特許文献１参照）。
【０００３】
以下、その換気用ベントキャップについて図４を参照しながら説明する。
【０００４】
図４に示すように、建物の壁１０１に設けられた通風口に装着され、室内１０２と室外１０３を連通する開口を有するダクト接続部１０４と、このダクト接続部１０４の室外１０３側に取り付けられる取付部１０５に前記ダクト接続部１０４の開口に連通する開口を有し、この取付部１０５の開口の周辺に複数の支脚１０６を設けた本体１０７と、この本体１０７の支脚１０６に取り付けられた風雨侵入防止の防風板１０８とで構成され、壁１０１に取り付けられた時、前記本体１０７の上方部となる箇所に整流手段１０９を設けている。
【先行技術文献】
【特許文献】
【０００５】
【特許文献１】特開平１１−１３２５１３号公報（段落００８、図８）
【発明の概要】
【発明が解決しようとする課題】
【０００６】
このような従来の換気用ベントキャップにおいて、特許文献１に記載された換気用ベントキャップでは、換気をすると、取付部１０５の開口から排出される排気流１１２は開口の正面にある防風板１０８に当り、防風板１０８と本体１０７の間から上下左右に排出される。
【０００７】
本体１０７の上部へ流れる排気流１１２は上方に整流手段１０９が設けられているため、排気流１１２は整流手段１０９の先端で絞られるとともに整流手段１０９の上面付近の空間部１１０が負圧になって、排気流１１２はこの空間部１１０に巻き込まれて上方への吹出しが弱くなって流れ、軒下の天井１１１に届かず、軒下の天井１１１を汚すのをいくらかは低減できる。しかし、防風板１０８の上方部において、軒下の天井１１１に対し垂直に向かう風が発生しているため、換気用ベントキャップが軒下の天井１１１の近くに設置されたときは、防風板１０８に当たり軒下の天井１１１に垂直に向かう排気流１１２によって軒下の天井１１１が汚れてしまう。
【０００８】
また、整流手段１０９が防風板１０８の外周より内側に位置しているため、空間部１１０に風が巻き込まれる現象が発生し、排気流１１２は壁面１０１ａに向かっても流れ、換気用ベントキャップの上方の壁面１０１ａが汚れてしまうという課題があった。
【０００９】
そして、近年、マンション等に設置される換気用ベントキャップにおいて、その設置位置は軒下の天井１１１近傍に設置されることが多くなってきている。そのため、室内１０２の換気をする際に、換気用ベントキャップから排出される排気流１１２が汚れていると、軒下の天井１１１に垂直に向かう排気流によって、軒下の天井１１１が汚れてしまうという事態が起こっていた。
【００１０】
また、軒下の天井１１１への汚れ防止のために整流手段１０９を大きくすると、換気用ベントキャップの圧力損失が大きくなり、換気性能が著しく低下するという課題があった。
【００１１】
そこで本発明は、上記従来の課題を解決するものであり、換気用のベントキャップを軒下の天井の下側近傍の壁に設置する場合において、ベントキャップから排出される空気によって壁および軒下の天井が汚れることを防止することができ、圧力損失の低下を低減し、換気性能の低下を抑える換気用ベントキャップを提供することを目的とする。
【課題を解決するための手段】
【００１２】
そして、この目的を達成するために、本発明は、建物の外壁内に設けられて室内側と室外側を連通するダクト内に嵌挿される本体筒部と、本体筒部の室外側端面に支持部材７を介して室外側に設けられる遮蔽部を備え、本体筒部の室外側端面と遮蔽部との空間でなる通風路を有し、通風路の一部に通風路の一部の通風を遮るカバー部を設け、遮蔽部は遮蔽部の外周縁から遮蔽部の中心とは異なる部分に向かうにしたがって室内側に厚みが増加し、その厚みの頂点を有した突形状部を設けたこととしたものであり、これにより所期の目的を達成するものである。
【発明の効果】
【００１３】
本発明によれば、建物の外壁内に設けられて室内側と室外側を連通するダクト内に嵌挿される本体筒部と、本体筒部の室外側端面に支持部材７を介して室外側に設けられる遮蔽部を備え、本体筒部の室外側端面と遮蔽部との空間でなる通風路を有し、通風路の一部に通風路の一部の通風を遮るカバー部を設け、遮蔽部は遮蔽部の外周縁から遮蔽部の中心とは異なる部分に向かうにしたがって室内側に厚みが増加し、その厚みの頂点を有した突形状部を設けた構成にしたことにより、室内からの空気が汚れを含んだ排気流であっても、その排気流はカバー部によって排気が軒下の天井側に流れないため、軒下の天井への汚れを防止できる。
【００１４】
また、突形状部により、排気流をカバー部方向に流れるのを抑制するので、カバー部付近の排気流の乱流を防ぐことができるので、圧力損失を低減し、換気性能の低下を抑えることができるという効果を得ることができる。
【図面の簡単な説明】
【００１５】
【図１】本発明の実施の形態１の換気用ベントキャップの構成および排気流の流れを示す断面図
【図２】同換気用ベントキャップの構成および排気流の流れを示す斜視図
【図３】同換気用ベントキャップの設置状態を示す正面図
【図４】従来の換気用ベントキャップの構成を示す断面図
【発明を実施するための形態】
【００１６】
本発明の換気用ベントキャップは、建物の外壁内に設けられて室内側と室外側を連通するダクト内に嵌挿される本体筒部と、本体筒部の室外側端面に支持部材７を介して室外側に設けられる遮蔽部を備え、本体筒部の室外側端面と遮蔽部との空間でなる通風路を有し、通風路の一部に通風路の一部の通風を遮るカバー部を設け、遮蔽部は遮蔽部の外周縁から遮蔽部の中心とは異なる部分に向かうにしたがって室内側に厚みが増加し、その厚みの頂点を有した突形状部を設けた構成を有する。
【００１７】
これにより、室内からの空気が汚れを含んだ排気流であっても、その排気流はカバー部によって排気が軒下の天井側に流れないため、軒下の天井への汚れを防止でき、かつ、突形状部により、排気流をカバー部方向に流れるのを抑制するので、カバー部付近の排気流の乱流を防ぐことができるので、圧力損失を低減し、換気性能の低下を抑えることができるという効果を奏する。
【００１８】
また、突形状の頂点の位置を本体筒部の室外側開口部よりもカバー側に設けるという構成にしてもよい。これにより、排気風がカバーの方向に向かうのを抑制し、排気風の乱流の発生を防止し、効率よく室外に排出できるので、圧力損失がよくなり、換気風量の低下を防止できるという効果を奏する。
【００１９】
以下、本発明の実施の形態について図面を参照しながら説明する。
【００２０】
（実施の形態１）
図１〜図３に示すように、建物の外壁１内に設けられて室内２側と室外３側を連通するダクト４内に嵌挿される本体筒部５と、本体筒部５の室外側端面６に支持部材７を介して室外３側に設けられる遮蔽部８を備え、本体筒部５の室外側端面６と遮蔽部８との空間でなる通風路９を有し、通風路９の一部に通風路９の一部の通風を遮るカバー部１０を設け、遮蔽部８は遮蔽部８の外周縁１１から遮蔽部８の中心１２とは異なる部分に向かうにしたがって室内２側に厚みが増加し、その頂点１３を有した突形状部１４を設けるという構成としている。外周縁１１の近傍では、遮蔽部８の室外３側面と突形状部１４とでなる角度をθとしている。
【００２１】
また、突形状部１４の頂点１３の位置を本体筒部５の室外側開口部１５の最上部点１６よりもカバー部１０側に設けている。
【００２２】
上記構成において、換気をすると、室内２の汚れた空気は本体筒部５を通り、遮蔽部８付近に近づくと、遮蔽部８の突形状部１４の面に沿って外周方向に流され、排気流１７が遮蔽部８の外周縁１１に位置する通風路９から出る際には、
排気流１７は外周縁１１の角度成分θを維持したまま、外壁面１ａから離れる方向に向かって流れる。このため、室内２からの排出される排気流１７が汚れていても、その排気流１７は遮蔽部８の外周縁１１に位置する通風路９から出る際に反外壁面１ａ側に流れ、排気流１７が外壁面１ａに当たらないので、排気流１７によって外壁面１ａが汚れるのを防止できることとなる。
【００２３】
また、図２に示すように通風路９の一部にカバー部１０を設けており、このカバー部１０の位置を換気用ベントキャップ１８の上部側、すなわち図３に示す軒下の天井１９側に位置させることにより、換気用ベントキャップ１８が軒下の天井１９の近傍の設けられても、図２に示すように通風路９の上部がカバー部１０で塞がっているため、排気流１７が上方に流れることがないため、汚れた排気流１７が軒下の天井１９に当たらなくなり、軒下の天井１９が図２に示すように汚れるのを防止できる。
【００２４】
さらに、突形状部の頂点１３の位置が本体筒部５の室外側開口部１５の最上部点１６よりもカバー部１０側に設けていて、最上部点１６の付近は室外側端面６との距離が最も近くなっている構成となっており、かつその場所が本体筒部５の室外側開口部１５より上（換気用ベントキャップ１８の軒下の天井１９側）となっているので、排気流１７はこの最上部点１６と室外側端面６の間には流れにくくなるので、排気流１７はカバー部１０側に流れるのを抑制される。このため、カバー部１０付近の排気流１７の乱流を防ぐことができるので、排気流１７は効率よく流れるので、圧力損失を低減し、換気性能の低下を抑えることができるという効果を得ることができる。
【産業上の利用可能性】
【００２５】
本発明にかかるベントキャップは、排気流による外壁の汚れ防止ができるという効果を有し、建物の外壁に装着される屋外フード等に有用である。
【符号の説明】
【００２６】
１    外壁
２    室内
３    室外
４    ダクト
５    本体筒部
６    室外側端面
７    支持部材
８    遮蔽部
９    通風路
１０  カバー部
１１  外周縁
１２  中心
１３  頂点
１４  突形状部
１５  室外側開口部
１６  最上部点
【図１】
0005747152.tif 000002
【図２】
0005747152.tif 000003
【図３】
0005747152.tif 000004
【図４】
0005747152.tif 000005